(57)【要約】【課題】画像の利用が制限された音声及び画像を含むメッセージを受信し、画像の利用を制限することが可能なデータ受信機を提供すること。【解決手段】この発明の一例のデータ受信機は、保存期限が設定された保存期限設定済み画像データ、及びこの保存期限設定済み画像データに対応する音声データを受信する受信手段（１）と、前記受信手段により受信された前記保存期限設定済み画像データ及び前記音声データを出力する出力手段（７、９）と、前記受信手段により受信された前記保存期限設定済み画像データに設定された保存期間に基づき、前記保存期限設定済み画像データを処理するデータ処理手段（３）とを備えている。【選択図】      図１
2006135667.tif 000002
【特許請求の範囲】
【請求項１】
画像データの保存期限を設定する設定手段と、
前記設定手段により保存期限が設定された保存期限設定済み画像データ、及びこの保存期限設定済み画像データに対応する音声データを送信する送信手段と、
を備えたことを特徴とするデータ送信機。
【請求項２】
送信相手を認証する認証手段と、
前記認証手段により認証された送信相手に対して、前記保存期限設定済み画像データ及び前記音声データの送信を許可する送信制御手段と、
を備えたことを特徴とする請求項１に記載のデータ送信機。
【請求項３】
前記設定手段により設定された保存期限に対応した動作が可能な送信相手を認証する認証手段と、
前記保存期限設定済み画像データ及び前記音声データを合成する合成手段と、
前記合成手段の合成により得られる合成データをエンコードするエンコード手段と、
前記認証手段により認証された送信相手に対して、前記エンコード手段のエンコードにより得られるエンコードデータの送信を許可する送信制御手段と、
を備えたことを特徴とする請求項１に記載のデータ送信機。
【請求項４】
画像データの保存期限を設定し、
保存期限が設定された保存期限設定済み画像データ、及びこの保存期限設定済み画像データに対応する音声データを送信する、
ことを特徴とするデータ送信方法。
【請求項５】
保存期限が設定された保存期限設定済み画像データ、及びこの保存期限設定済み画像データに対応する音声データを受信する受信手段と、
前記受信手段により受信された前記保存期限設定済み画像データ及び前記音声データを記憶する記憶手段と、
前記記憶手段により記憶された前記保存期限設定済み画像データ及び前記音声データを出力する出力手段と、
前記記憶手段により記憶された前記保存期限設定済み画像データに設定された保存期間に基づき、前記保存期限設定済み画像データを処理するデータ処理手段と、
を備えたことを特徴とするデータ受信機。
【請求項６】
前記データ処理手段は、保存期限切れの前記保存期限設定済み画像データを削除することを特徴とする請求項５に記載のデータ受信機。
【請求項７】
前記受信手段により受信される前記保存期限設定済み画像データ及び前記音声データは、前記保存期限設定済み画像データ及び前記音声データを合成して得られた合成データをさらにエンコードして得られたエンコードデータであって、このエンコードデータをデコードするデコード手段と、
前記デコード手段のデコードにより得られる前記合成データを前記保存期限設定済み画像データ及び前記音声データに分離する分離手段と、
を備え、
前記データ処理手段は、前記分離手段により分離され前記記憶手段に記憶された保存期限切れの前記保存期限設定済み画像データを削除することを特徴とする請求項５に記載のデータ受信機。
【請求項８】
前記受信手段により受信される前記保存期限設定済み画像データ及び前記音声データは、前記保存期限設定済み画像データ及び前記音声データを合成して得られた合成データをさらにエンコードして得られたエンコードデータであって、このエンコードデータをデコードする第１のデコード手段と、
前記第１のデコード手段のデコードにより得られる前記合成データを前記保存期限設定済み画像データ及び前記音声データに分離する分離手段と、
前記分離手段により分離された前記保存期限設定済み画像データをエンコードするとともに、このエンコードされた前記保存期限設定済み画像データのデコードキーを生成するエンコード手段と、
前記エンコード手段によりエンコードされ前記記憶手段に記憶されたエンコードされた前記保存期限設定済み画像データを前記デコードキーによりデコードする第２のデコード手段と、
を備え、
前記データ処理手段は、前記記憶手段に記憶された保存期限切れの前記保存期限設定済み画像データのデコードに必要な前記デコードキーを削除することを特徴とする請求項５に記載のデータ受信機。
【請求項９】
前記受信手段により受信される前記保存期限設定済み画像データ及び前記音声データは、前記保存期限設定済み画像データ及び前記音声データを合成して得られた合成データをさらにエンコードして得られたエンコードデータであって、このエンコードデータをデコードする第１のデコード手段と、
前記第１のデコード手段のデコードにより得られる前記合成データを前記保存期限設定済み画像データ及び前記音声データに分離する分離手段と、
前記分離手段により分離された前記保存期限設定済み画像データをエンコードするとともに、このエンコードされた前記保存期限設定済み画像データ用の第１のデコードキーを生成し、前記音声データをエンコードするとともに、このエンコードされた前記音声データ用の第２のデコードキーを生成するエンコード手段と、
前記エンコード手段によりエンコードされ前記記憶手段に記憶されたエンコードされた前記保存期限設定済み画像データを前記第１のデコードキーによりデコードし、前記エンコード手段によりエンコードされ前記記憶手段に記憶されたエンコードされた前記音声データを前記第２のデコードキーによりデコードする第２のデコード手段と、
を備え、
前記データ処理手段は、前記記憶手段に記憶された保存期限切れの前記保存期限設定済み画像データのデコードに必要な前記第１のデコードキーを削除することを特徴とする請求項５に記載のデータ受信機。
【請求項１０】
保存期限が設定された保存期限設定済み画像データ、及びこの保存期限設定済み画像データに対応する音声データを受信し、
前記受信された前記保存期限設定済み画像データ及び前記音声データを記憶し、
前記記憶により記憶された前記保存期限設定済み画像データに設定された保存期間に基づき、前記保存期限設定済み画像データを処理し、
前記記憶された前記保存期限設定済み画像データ及び前記音声データを出力する、
ことを特徴とするデータ受信処理方法。
【発明の詳細な説明】
【技術分野】
【０００１】
本発明は、テレビ電話（固定電話や携帯電話）などの映像及び音声を送信するデータ送信機に関する。また、本発明は、このようなデータ送信機におけるデータ送信方法に関する。また、本発明は、テレビ電話（固定電話や携帯電話）などの映像及び音声を受信するデータ受信機に関する。また、本発明は、このようなデータ受信機におけるデータ受信処理方法に関する。
【背景技術】
【０００２】
近年、テレビ電話に関する各種提案がなされている。例えば、伝言画像メッセージを記録するときに、相手を認識するのに必要な部分画像（動画像又は静止画像）のみを伝言音声メッセージと共に記録する技術が開示されている（特許文献１参照）。これにより、テレビ電話装置のメモリに保存されるデータ量を減らすことがきる。
【０００３】
また、音声伝言システムに関する各種提案がなされている。例えば、音声メッセージを記憶した後、この音声メッセージの保存期間経過後に、この音声メッセージを消去する技術が開示されている（特許文献２参照）。
【特許文献１】特開平８−３１７３５７
【特許文献２】特開平１１−９８２４９
【発明の開示】
【発明が解決しようとする課題】
【０００４】
テレビ電話の留守番機能は、メッセージ送信者の音声及び画像を含むメッセージを録画する。このような音声及び画像を含むメッセージは、臨場感のある情報伝達が可能である。その反面、メッセージ送信者の画像の利用を制限したいという要望がある。
【０００５】
上記した従来技術では、このような音声及び画像を含むメッセージのうち、画像の利用を制限することはできない。
【０００６】
本発明の目的は、上記課題を解決するためになされたものであり、画像の利用を制限した音声及び画像を含むメッセージを送信することが可能なデータ送信機及びデータ送信方法を提供することにある。また、本発明の目的は、画像の利用が制限された音声及び画像を含むメッセージを受信し、画像の利用を制限することが可能なデータ受信機及びデータ受信処理方法を提供することにある。
【課題を解決するための手段】
【０００７】
この発明のデータ送信機、データ送信方法、データ受信機、及びデータ受信処理方法は、以下のように構成されている。
【０００８】
（１）この発明は、例えば、画像データの保存期限を設定する設定手段と、前記設定手段により保存期限が設定された保存期限設定済み画像データ、及びこの保存期限設定済み画像データに対応する音声データを送信する送信手段とを備えたことを特徴とするデータ送信機である。
【０００９】
（２）この発明は、画像データの保存期限を設定し、保存期限が設定された保存期限設定済み画像データ、及びこの保存期限設定済み画像データに対応する音声データを送信することを特徴とするデータ送信方法である。
【００１０】
（３）この発明は、例えば、保存期限が設定された保存期限設定済み画像データ、及びこの保存期限設定済み画像データに対応する音声データを受信する受信手段と、前記受信手段により受信された前記保存期限設定済み画像データ及び前記音声データを記憶する記憶手段と、前記記憶手段により記憶された前記保存期限設定済み画像データ及び前記音声データを出力する出力手段と、前記記憶手段により記憶された前記保存期限設定済み画像データに設定された保存期間に基づき、前記保存期限設定済み画像データを処理するデータ処理手段とを備えたことを特徴とするデータ受信機である。
【００１１】
（４）この発明は、保存期限が設定された保存期限設定済み画像データ、及びこの保存期限設定済み画像データに対応する音声データを受信し、前記受信された前記保存期限設定済み画像データ及び前記音声データを記憶し、前記記憶により記憶された前記保存期限設定済み画像データに設定された保存期間に基づき、前記保存期限設定済み画像データを処理し、前記記憶された前記保存期限設定済み画像データ及び前記音声データを出力することを特徴とするデータ受信処理方法である。
【発明の効果】
【００１２】
本発明によれば、画像の利用を制限した音声及び画像を含むメッセージを送信することが可能なデータ送信機を提供できる。また、本発明によれば、画像の利用が制限された音声及び画像を含むメッセージを受信し、画像の利用を制限することが可能なデータ受信機を提供できる。
【発明を実施するための最良の形態】
【００１３】
以下、図面を参照し、本発明の実施形態について説明する。
【００１４】
図１は、この発明の一例のテレビ電話端末（データ送受信機）の概略構成を示す図である。テレビ電話端末の一例には、携帯電話や固定電話が該当する。図１に示すように、テレビ電話端末は、通信制御部１、端末認証部２、メッセージ管理／処理部３、メッセージ記憶部４、メディア入出力部５、カメラ６、ディスプレイ７、マイク８、スピーカ９、操作入力部１０を備えている。
【００１５】
図２に示すフローチャートを参照して、第１のテレビ電話端末から第２のテレビ電話端末へメッセージを送信するメッセージ送信処理について説明する。以下、画像データ（動画データ）とこの画像データに対応（同期）した音声データを含むメッセージの送信を中心説明する。
【００１６】
まず、メッセージの送信に備えて、ユーザは、第１のテレビ電話端末の操作部１０を介して、メッセージに含まれる画像データの保管期限を設定する（ＳＴ１０１）。勿論、デフォルトの設定を利用する場合には、特に保管期限の設定は不要である。設定された保管期限又はデフォルトの保管期限は、メッセージ管理／処理部３で管理される。なお、このテレビ電話端末は、通信制御部１を介して、例えば基地局からの提供される絶対時刻情報（現在時刻）を受信することが可能な構成となっている。デフォルトの保管期限は、この絶対時刻情報に基づき設定される。
【００１７】
第１のテレビ電話端末と第２のテレビ電話端末による通信の開始に伴い（ＳＴ１０２）、第１のテレビ電話端末の端末認証部２により相手機器（第２のテレビ電話端末）に対する認証処理が実行される（ＳＴ１０３）。この認証処理により、相手機器（第２のテレビ電話端末）が適切なメッセージ管理を行うことが可能な端末であるかどうかが判断される。
【００１８】
相手機器を確認できない場合（ＳＴ１０４、ＮＯ）、つまり相手機器が適切なメッセージ管理を行うことが可能な端末であるかどうか不明な場合は、例えばディスプレイ７により、相手機器に対して送信したメッセージが適切に管理されないリスクがあることが警告表示される（ＳＴ１０９）。ユーザが、操作入力部１０を介して通常メッセージ送信処理を指示すると（ＳＴ１１０、ＹＥＳ）、メッセージ管理／処理部３により画像データとこの画像データに同期した音声データを含むメッセージの送信が許可される（ＳＴ１０５）。ユーザが、操作入力部１０を介してリスク回避メッセージ送信処理を指示すると（ＳＴ１１１、ＹＥＳ）、メッセージ管理／処理部３により画像データを含まないメッセージ、つまり音声データだけを含むメッセージの送信が許可される（ＳＴ１１２）。ユーザが、操作入力部１０を介してメッセージ非送信処理を指示すると（ＳＴ１１６、ＹＥＳ）、メッセージ管理／処理部３によりメッセージの送信が禁止される（ＳＴ１１７）。
【００１９】
一方、相手機器を確認できた場合（ＳＴ１０４、ＹＥＳ）、つまり相手機器が適切なメッセージ管理を行うことが可能な端末であると判明した場合は、メッセージ管理／処理部３により画像データとこの画像データに同期した音声データを含むメッセージの送信が許可される（ＳＴ１０５）。
【００２０】
メッセージ管理／処理部３は、画像データと音声データを含むメッセージの送信を許可した場合には（ＳＴ１０５）、カメラ６により撮影された画像データに対して保管期限を設定し、この保管期限が設定された画像データとマイク８により集音された音声データとを多重化（合成）し、画像データとこの画像データに対応（同期）した音声データを含むメッセージを生成する（ＳＴ１０６）。さらに、メッセージ管理／処理部３は、生成されたメッセージをエンコードし（ＳＴ１０７）、通信制御部１は、エンコードされたメッセージを相手機器（第２のテレビ電話端末）へ送信する（ＳＴ１０８）。
【００２１】
メッセージ管理／処理部３は、音声データだけを含むメッセージの送信を許可した場合には（ＳＴ１１２）、マイク８により集音された音声データだけを含むメッセージを生成する（ＳＴ１１３）。さらに、メッセージ管理／処理部３は、生成されたメッセージをエンコードし（ＳＴ１１４）、通信制御部１は、エンコードされたメッセージを相手機器（第２のテレビ電話端末）へ送信する（ＳＴ１１５）。
【００２２】
続いて、図３に示すフローチャートを参照して、第１のテレビ電話端末から送信されたメッセージ（画像データと音声データを含むメッセージ）を第２のテレビ電話端末で受信し管理するメッセージ受信管理処理その１について説明する。
【００２３】
第２のテレビ電話端末の通信制御部１は、第１のテレビ電話端末から送信されるエンコードされたメッセージ（画像データと音声データを含むメッセージ）を受信する（ＳＴ２０１）。第２のテレビ電話端末のメッセージ管理／処理部３は、受信したメッセージをデコードし（ＳＴ２０２）、さらに画像データと音声データに分離し（ＳＴ２０３）、メッセージ記憶部４に記憶させる。つまり、メッセージ記憶部４には、画像データと画像データに対して設定された保管期限、さらに音声データが記憶される（ＳＴ２０４）。
【００２４】
このあと、メッセージ管理／処理部３は、基地局から送信される絶対時刻情報を参照し、画像データに対して設定された保管期限を監視し（ＳＴ２０５）、保管期限を過ぎた画像データを削除する（ＳＴ２０６、ＹＥＳ）（ＳＴ２０７）。
【００２５】
また、ユーザが、操作入力部１０を介してメッセージ選択画面を呼び出すと（ＳＴ２０８、ＹＥＳ）、ディスプレイ７上に、メッセージ記憶部４に記憶された各メッセージの代表画像が一覧表示される（ＳＴ２０９）。なお、保管期限を過ぎて削除された画像データに対応するメッセージについては代表画像が存在しないので、代表画像の替わりに音声だけのメッセージである旨を示す音声メッセージアイコンが示される。ユーザが、操作入力部１０を介して所望の代表画像又は音声メッセージアイコンを選択すると（ＳＴ２１０）、この代表画像に対応するメッセージ（画像と音声によるメッセージ）又は音声メッセージアイコンに対応するメッセージ（音声だけのメッセージ）が再生される（ＳＴ２１１）。
【００２６】
続いて、図４に示すフローチャートを参照して、第１のテレビ電話端末から送信されたメッセージ（画像データと音声データを含むメッセージ）を第２のテレビ電話端末で受信し管理するメッセージ受信管理処理その２について説明する。
【００２７】
第２のテレビ電話端末の通信制御部１は、第１のテレビ電話端末から送信されるエンコードされたメッセージ（画像データと音声データを含むメッセージ）を受信する（ＳＴ３０１）。第２のテレビ電話端末のメッセージ管理／処理部３は、受信したメッセージをデコードし（ＳＴ３０２）、さらに画像データと音声データに分離し（ＳＴ３０３）、画像データをエンコードするとともに、このエンコードされた画像データのデコードキーを生成し、同様に音声データをエンコードするとともに、このエンコードされた音声データのデコードキーを生成し（ＳＴ３０４）、エンコードされた画像データとエンコードされた音声データ、さらにはこれらエンコードされた画像データとエンコードされた音声データをデコードするための夫々のデコードキーをメッセージ記憶部４に記憶させる。つまり、メッセージ記憶部４には、エンコードされた画像データと、この画像データに対して設定された保管期限と、エンコードされた音声データとが記憶され、さらにはエンコードされた画像データ用のデコードキーと、エンコードされた音声データ用のデコードキーとが記憶される（ＳＴ３０５）。
【００２８】
このあと、メッセージ管理／処理部３は、基地局から送信される絶対時刻情報を参照し、画像データに対して設定された保管期限を監視し（ＳＴ３０６）、保管期限を過ぎた画像データのデコードキーを削除する（ＳＴ３０７、ＹＥＳ）（ＳＴ３０８）。
【００２９】
また、ユーザが、操作入力部１０を介してメッセージ選択画面を呼び出すと（ＳＴ３０９、ＹＥＳ）、ディスプレイ７上に、メッセージ記憶部４に記憶された各メッセージに対応する項目（受信日時等の表示項目）が一覧表示される（ＳＴ３１０）。ユーザが、操作入力部１０を介して所望の項目を選択すると（ＳＴ３１１）、この項目に対応するメッセージがデコードされ（ＳＴ３１２）、再生される（ＳＴ３１３）。画像データのデコードキーが削除されていなければ、画像データと音声データの両方をデコードすることができるので、画像データと音声データの両方によるメッセージが再生される。画像データのデコードキーが削除されていれば、画像データをデコードすることができないので、音声データのみがデコードされ再生される。
【００３０】
なお、このメッセージ受信管理処理その２では、画像データと音声データを別々にエンコードし、画像データの保管期限切れに伴い画像データのデコードキーを削除する（音声データのデコードキーは削除しない）ケースについて説明したが、この発明はこれだけに限定されるものではない。例えば、画像データと音声データをまとめてエンコードし、画像データの保管期限切れに伴い画像データと音声データの両者のデコードキーを削除するようにしてもよい。この場合、音声データも再生できなくなる。或いは、画像データだけをエンコードし、画像データの保管期限切れに伴い画像データのデコードキーを削除するようにしてもよい。この場合、音声データはエンコードされていないので、そのまま再生することができる。或いは、画像データの保管期限切れに伴い画像データへのアクセスを禁止するようにしてもよい。
【００３１】
また、メッセージ管理／処理部３は、絶対時刻情報に基づいて画像データの保管期限を管理するので、基地局からの絶対時刻情報を受信できない場合は、画像データの再生を禁止する。
【００３２】
また、上記説明では、送信側（第１のテレビ電話端末）が保管期限を設定するケースについて説明したが、例えば送信側が保管期限を一切設定しなかった場合には、受信側（第１のテレビ電話端末）が自動的に所定の保管期限を設定するようにしてもよい。
【００３３】
また、メッセージ記憶部４の記憶容量が不足した場合には、メッセージ管理／処理部３は、保管期限切れが迫っている画像データ、つまり現在時刻に最も近い保管期限が設定された画像データを優先的に削除する。これにより、音声データを残しつつ、記憶領域を確保することができる。
【００３４】
上記説明したように、本発明によれば、所定のタイミング（保管期限切れのタイミングで）で画像データを削除し、この画像データに対応する音声データを削除せずに保存することにより、メッセージ発信者の個人情報（画像データ）を保護しつつ、メッセージ発信者の要件（音声データ）を大きく損なうことなく伝達することができる。また、画像データを削除したつもりでも、実際には画像データの管理情報（画像データ格納先のアドレス情報）だけが削除されることが多いが、本発明によれば、エンコードされた画像データをデコードするためのデコードキーを削除することにより、メッセージ発信者の個人情報（画像データ）を強固に保護することができる。また、本発明によれば、記憶容量不足に対応して、保管期限切れが迫っている画像データを削除するので、記憶容量不足を解消することができ、しかもメッセージ発信者の要件（音声データ）を大きく損なうことなく伝達することができる。また、本発明によれば、相手機器が適切なメッセージ管理を行うことが可能な端末であるかどうかを確認した上でメッセージを送信するので、メッセージ発信者の個人情報（画像データ）の悪用を防止できる。
【００３５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３６】
【図１】この発明の一例のテレビ電話端末（データ送受信機）の概略構成を示す図である。
【図２】第１のテレビ電話端末から第２のテレビ電話端末へメッセージを送信するメッセージ送信処理について説明するためのフローチャートである。
【図３】第１のテレビ電話端末から送信されたメッセージ（画像データと音声データを含むメッセージ）を第２のテレビ電話端末で受信し管理するメッセージ受信管理処理その１について説明するフローチャートである。
【図４】第１のテレビ電話端末から送信されたメッセージ（画像データと音声データを含むメッセージ）を第２のテレビ電話端末で受信し管理するメッセージ受信管理処理その２について説明するフローチャートである。
【符号の説明】
【００３７】
１…通信制御部、２…端末認証部、３…メッセージ管理／処理部、４…メッセージ記憶部、５…メディア入出力部、６…カメラ、７…ディスプレイ、８…マイク、９…スピーカ、１０…操作入力部
【図１】
2006135667.tif 000003
【図２】
2006135667.tif 000004
【図３】
2006135667.tif 000005
【図４】
2006135667.tif 000006